(57)【特許請求の範囲】
【請求項１】
中央に略長方形状をなす透孔６が設けられた方形状をなす底板２と、前記底板２の前端より上り勾配で前方に張り出す前壁３と、当該前壁３及び底板２の両側端部から垂直に立ち上がって設けられた側壁４，４と、前記底板２の後端から上り急勾配で立ち上がる後壁５と、を有し、前記底板２、前壁３、後壁５及び両側壁４，４で略ボックス状に形成されてなり、
上端部は、両側壁４，４と後壁５の上端面とで形成された平坦載置部７と、該平坦載置部７の前端より前記前壁３と同じ上り勾配で立ち上がる前壁当接部９とで構成されてなる植樹擁壁ユニットであり、
前記後壁５には透孔を複数設け、前記前壁当接部９は、所定の奥行きからなるスペーサ１０をはめ込み可能とした、
ことを特徴とする植樹擁壁ユニット。
【請求項２】
請求項１に記載された植樹擁壁ユニット１を横方向に１つ飛ばし状態でかつ曲線状に敷設し、上段に下段の飛ばし箇所に跨って前記植樹擁壁ユニット１を曲線状に架設し、複数段積み重ね、
前記横方向に１つ飛ばし状態でかつ曲線状に敷設した植樹ユニット１の平坦載置部７上には、積み重ねる上段側植樹壁ユニット１の底板２の下面８が凹凸なく密着載置されていることを特徴とする曲線的な植樹擁壁の構築方法。
【請求項３】
請求項１に記載された植樹擁壁ユニット１を略直角に交差する線に沿って各々の方向から敷設し、敷設した植樹擁壁ユニット１，１間に跨るようにして植樹擁壁ユニット１を設置し、
複数段積み重ねて構築することを特徴とする直角的な植樹擁壁の構築方法。
【発明の詳細な説明】
【０００１】
【発明の属する技術分野】
本発明は、例えばコンクリート製品から形成された植樹擁壁ユニット及び植樹擁壁の構築方法に関するものである。
【０００２】
【従来の技術】
従来より各種の植樹擁壁の構築方法が提案され、それら各種の方法で擁壁等が構築されているが、自然環境を破壊することなく、構築後には山林のように充分な緑で覆われ、防音効果、遮音効果が充分に考慮され、さらには長期間にわたって強固に構築されてなる等の要求を満たす植樹擁壁で、しかも曲線状なす箇所にも無理なく構築でき、さらに製造コストも安価にしうる植樹擁壁の構築方法は提案されていなかった。
【０００３】
しかして、このような曲線状の箇所にも無理なく構築できる植樹擁壁の構築方法についての提案は従来より要請、要望されていたところである。
【０００４】
【発明が解決しようとする課題】
かくして、本発明は前記従来の要請に答えるべく開発されたものであり、自然環境を破壊することなく、構築後には山林のように充分な緑で覆われ、しかも防音効果、遮音効果あるいは吸音効果が考慮され、かつ長期間にわたって強固に構築され、さらには長期間にわたって強固に構築されてなる等の要求を満たす植樹擁壁で、かつ曲線状なす箇所にも無理なく構築でき、製造コストを安価にした植樹擁壁の構築方法を提供することを目的とする。
【０００５】
【課題を解決するための手段】
本発明は、植樹擁壁ユニットが中央に略長方形状をなす透孔６が設けられた方形状をなす底板２と、前記底板２の前端より上り勾配で前方に張り出す前壁３と、当該前壁３及び底板２の両側端部から垂直に立ち上がって設けられた側壁４，４と、前記底板２の後端から上り急勾配で立ち上がる後壁５と、を有し、前記底板２、前壁３、後壁５及び両側壁４，４で略ボックス状に形成されてなり、
上端部は、両側壁４，４と後壁５の上端面とで形成された平坦載置部７と、該平坦載置部７の前端より前記前壁３と同じ上り勾配で立ち上がる前壁当接部９とで構成されてなる植樹擁壁ユニットであり、
前記後壁５には透孔を複数設け、前記前壁当接部９は、所定の奥行きからなるスペーサ１０をはめ込み可能とした、
ことを特徴とし、また、上記植樹擁壁ユニット１を横方向に１つ飛ばし状態でかつ曲線状に敷設し、上段に下段の飛ばし箇所に跨って前記植樹擁壁ユニット１を曲線状に架設し、複数段積み重ね、前記横方向に１つ飛ばし状態でかつ曲線状に敷設した植樹ユニット１の平坦載置部７上には、積み重ねる上段側植樹壁ユニット１の底板２の下面８が凹凸なく密着載置されていることを特徴とし、または、上記植樹擁壁ユニット１を略直角に交差する線に沿って各々の方向から敷設し、敷設した植樹擁壁ユニット１，１間に跨るようにして植樹擁壁ユニット１を設置し、複数段積み重ねて構築することを特徴とするものである。
【０００６】
（作用）本発明では、中央に透孔が設けられた方形状をなす底板と、前記底板の前端より上り勾配で張り出す前壁と、当該前壁及び底板の両側に設けられた側壁と、前記底板の後端より上り急勾配で立ち上がる後壁と、を有し、上端部は両側壁と後壁の上端面とで形成された平坦載置部と、該平坦載置部の前端より上り勾配で立ち上がる前壁当接部とで構成された植樹擁壁ユニットが形成される。
【０００７】
そして、該植樹擁壁ユニットを横方向に１つ飛ばし状態で敷設し、上段には下段の飛ばし箇所に跨って前記植樹擁壁ユニットを架設し、構築して植樹擁壁が形成される。さらに、該植樹擁壁ユニットを横方向に１つ飛ばし状態でかつ曲線状に敷設し、上段に下段の飛ばし箇所に跨って前記植樹擁壁ユニットを曲線状に架設することが出来、それらを複数段積み重ねて曲線的な植樹擁壁が、あるいは別に直角的な植樹擁壁が形成できる。
【０００８】
【発明の実施の形態】
以下、各図に基づいて本発明に係る植樹擁壁の構築方法の実施例について説明する。図１、図２において、符号１は植樹擁壁ユニットを示す。該植樹擁壁ユニット１は一般にコンクリート製品で形成されており、内型枠と外型枠の内部にコンクリートを充填し、所定期間養生させ、固化させた後、脱型して取り出すことにより製造される。
【０００９】
そして、該植樹擁壁ユニット１は底板２と前壁３と側壁４，４と後壁５とを備えて構成される。ここで、底板２は図２から理解されるように、中央に略長方形状の透孔６が穿設され、略長方形状をなして形成されている。前壁３は底板２の前端より上り勾配を有し前方に張り出して設けられている。
【００１０】
また、後壁５は底板２の後端から前記前壁３より急勾配の傾斜で立ち上がり形成されている。尚、図示されていないが該後壁５に透孔を複数設け、斜面状の地盤に植樹擁壁ユニット１を設置する際、その地盤との密着性を向上させることが出来る。さらに両側壁４，４は前記底板２両側の端部から各々垂直に立ち上がって設けられており、これら底板２、前壁３、後壁５及び両側壁４，４で略ボックス状に形成されている。
【００１１】
また、この植樹擁壁ユニット１の上端面は図１，図２から理解されるように、両側壁４，４と後壁５との上端面は平坦面として形成され、平坦載置部７を形成している。さらに、底板２の下面８も平坦面として形成されている（図２参照）。ここで、符号９は前壁当接部であり、前記平坦載置部７の前端より前壁３と同じ上り勾配を有する立ち上がり辺として形成されている。
【００１２】
そして後述するように、これら植樹擁壁ユニット１は積み重ねられるが、その際、下段の植樹擁壁ユニット１の前壁当接部９に上段の植樹擁壁ユニット１の前壁３が当接して積み重ねられるものとなる。これにより上段側に積み重ねられた植樹擁壁ユニット１は下段側の植樹擁壁ユニット１の前壁当接部９に係止し、崩れ落ちることがない。
【００１３】
以上において、基本的な植樹擁壁の構築方法について説明する。図３から理解されるように複数の植樹擁壁ユニット１は斜面状地盤に敷設される。ここで、図４に示すように最下段の植樹擁壁ユニット１は横方向に１つ飛ばしの状態で敷設される。そして２段目の植樹擁壁ユニット１は、１段目の１つ飛ばした箇所に跨るようにして設置される。さらに、３段目は２段目の１つ飛ばした箇所に跨るように設置される。この様に設置した後、それぞれの植樹擁壁ユニット１内に土を収納し、かつ樹木や草木を植樹することにより図３に示すような植樹擁壁が完成する。
【００１４】
次に本発明方法の第１実施例につき説明する。第１実施例は図５から理解されるように、植樹擁壁を曲線状に形成したものである。
【００１５】
本発明によれば、簡単な作業で曲線状の植樹擁壁を構築できる。すなわち、最下段の植樹擁壁ユニット１を図５に示すように曲線状で、しかも１つ飛ばしで設置する。次いで第２段目の植樹擁壁ユニット１を前記第１段目に設置した植樹擁壁ユニット１，１間にまたげて配置する。
【００１６】
この際、下段における植樹擁壁ユニット１，１間の１つ飛ばしの隙間は若干狭くしておくものとする。そうすれば、前記下段における１つ飛ばしの植樹擁壁ユニット１，１間に第２段目の植樹擁壁ユニット１を設置しても、はずれて落下するおそれがない。また、曲線状に積み重ねるにつき、植樹擁壁ユニット１の上端面は両側壁４，４の上端面と後壁５の上端面とで平坦面に形成した平坦載置部７となっているため、積み重ねる上段側植樹擁壁ユニット１の底板下面８を凸凹なく密着載置することが出来る。
【００１７】
次に図６，図７に本発明方法の第２実施例を示す。本実施例は植樹擁壁を略直角に形成したものである。すなわち図６に示すように略直角に交差するよう各々の方向から敷設した植樹擁壁ユニット１，１間に跨るようにして植樹擁壁ユニット１を設置する。この際、またげて設置する上段の植樹擁壁ユニット１は、前記各々の方向から敷設された植樹擁壁ユニット１，１と略１３５度の角度を有して積み重ねられることとなる（図６参照）。
【００１８】
さらに、図８乃至図１０に本発明の実施例を示す。この実施例は植樹擁壁ユニット１の積み重ね状態を示すもので、通常利用される勾配で構わない場合は図９に示すように積み上げればよい。
【００１９】
しかし、もっとなだらかな勾配にしたい場合には図１０に示すように前壁当接部９に所定の奥行きからなるスペーサ１０をはめ込むものとする。このようなスペーサ１０により、上に積み上げられる植樹擁壁ユニット１はさらに後ろ側にずらされて積み上げられることになるからである。しかして、このスペーサ１０は、コンクリートブロックを後からはめ込むものである。
【００２０】
しかして、複数段植樹擁壁ユニット１を積み重ねた後、この植樹擁壁ユニット１内に土を充填して擁壁を形成すればよい。この際、土内に各種の木や草や花等を植樹すれば、数年経過後根を張って強固な植樹擁壁を形成することが出来る。しかも、表面側は木、草及び花が成長して綺麗な景観を提供できる。
【００２１】
本発明では自然環境を破壊することなく、緑に富んだ自然的な植樹擁壁を構築しうる。しかも、この植樹擁壁は防音効果、遮音効果をも充分に発揮できる。さらに、植樹された複数本の草木は植樹擁壁ユニット１内に充填された土の奥深く根をはるものとなり、それにより一層強固な植樹擁壁を構築できる。
【００２２】
【発明の効果】
以上説明したように本発明による植樹擁壁及び植樹擁壁の構築方法であれば、自然環境を破壊することなく、構築後には短期間で山林のように充分な緑で覆われ、しかも前記草木での防音効果、遮音効果あるいは吸音効果が考慮され、かつ長期間にわたって強固に構築された植樹擁壁を提供できる。
【００２３】
さらに、曲線状なす箇所にも無理なく構築でき、かつ製造コストを安価にした植樹擁壁を提供出来るとの優れた効果を奏する。
【図面の簡単な説明】
【図１】   植樹擁壁ユニットの説明図
【図２】   植樹擁壁ユニットの概略構成説明図
【図３】   植樹擁壁の構築状態の説明図
【図４】   植樹擁壁の構築状態の説明図
【図５】   植樹擁壁の構築状態の説明図
【図６】   植樹擁壁の構築状態の説明図
【図７】   植樹擁壁の構築状態の説明図
【図８】   植樹擁壁ユニットの説明図
【図９】   植樹擁壁ユニットの積み重ね状態の説明図
【図１０】 植樹擁壁ユニットの積み重ね状態の説明図
【符号の説明】
１ 植樹擁壁ユニット
２ 底板
３ 前壁
４ 側壁
５ 後壁
６ 透孔
７ 平坦載置部
８ 底板の下面
９ 前壁当接部
１０ スペーサ
【図１】
0003738558.tif 000002
【図２】
0003738558.tif 000003
【図３】
0003738558.tif 000004
【図４】
0003738558.tif 000005
【図５】
0003738558.tif 000006
【図６】
0003738558.tif 000007
【図７】
0003738558.tif 000008
【図８】
0003738558.tif 000009
【図９】
0003738558.tif 000010
【図１０】
0003738558.tif 000011